(57)【要約】【課題】造成地の微気候が効果的に向上し、快適で健康的な住宅地が形成されるとともに、資源エネルギーの削減を図ることができる造成地の樹木植栽方法を提供すること。【解決手段】微気候を有効利用した造成地１の樹木植栽方法であって、造成地１および造成地１周辺の立地環境、風および熱環境による気候特性と、植栽環境を調査し、その調査結果と、造成地１に対する樹木植栽計画に基づいて造成地１の微気候の形成状態をシミュレーションし、そのシミュレーション結果を樹木植栽計画に反映させ、造成地１に樹木を植栽すること。【選択図】      図１
2005002627.tif 000002
【特許請求の範囲】
【請求項１】
微気候を有効利用した造成地の樹木植栽方法であって、前記造成地および造成地周辺の立地環境、風および熱環境による気候特性と、植栽環境を調査し、その調査結果と、前記造成地に対する樹木植栽計画に基づいて前記造成地の微気候の形成状態をシミュレーションし、そのシミュレーション結果を前記樹木植栽計画に反映させ、前記造成地に樹木を植栽することを特徴とする造成地の樹木植栽方法。
【請求項２】
請求項１記載の造成地の樹木植栽方法において、前記シミュレーションは、前記造成地に対する通風および防風効果と、気温および相対湿度による環境変化をシミュレーションすることを特徴とする造成地の樹木植栽方法。
【請求項３】
請求項１または２記載の造成地の樹木植栽方法において、前記造成地に樹木を植栽後、前記造成地の気象データを測定し、前記造成地の微気候形成状態の変化を測定し、その測定値を樹木植栽計画に反映させることを特徴とする造成地の樹木植栽方法。
【請求項４】
請求項３記載の造成地の樹木植栽方法において、前記測定値に基づいて、前記造成地に植栽した樹木の配置場所、樹木の高さおよび樹種の変更を行うことを特徴とする造成地の樹木植栽方法。
【請求項５】
請求項３記載の造成地の樹木植栽方法において、前記測定値を他の造成地の樹木植栽計画に反映させることを特徴とする造成地の樹木植栽方法。
【発明の詳細な説明】
【０００１】
【発明の属する技術分野】
本発明は、微気候を有効利用した造成地の樹木植栽方法に関し、特に樹木を植栽することにより、造成地に微気候が効果的に形成される技術に関する。
【０００２】
【背景技術】
かつて資源エネルギーを利用できなかった時代、人々は暑さ寒さを少しでも和らげ、気持ちよく過ごそうといろいろな工夫をしてきた。住まいは現在のように内外が明確に区切られていなかったため、周辺の自然環境と有機的に連続していた。そして、水や緑、風、太陽など自然エネルギーの恵みを借りて、住まいの周辺環境を冬は暖かく、夏は涼しく変化させる知恵があった。特に樹木には周辺の気候を緩和する微気候形成の機能があり、家のまわりにヒューマンスケールの気候を作り上げていた。
【０００３】
しかし現代では、植栽が果たしてきた機能が住宅設備などに置き換えられるようになり、主に審美的な対象として据えられるようになった。見た目の美しさといった審美的機能にウエイトが偏り、微気候形成機能の役割が小さくなってしまった。その為、生活環境を向上させる上での重要な役割である、微気候にはほとんど配慮されていないのが現状である。
【０００４】
このような問題は個々の住宅レベルで推進していくことよりも、まち全体として行うことが重要かつ効果的であり、それにより環境問題の改善を図ることが予想される。例えば、大規模住宅地等の造成を行う場合においては、造成地全体に微気候が効果的に形成されるように計画および造成する必要がある。従来においても、山林斜面の緑地を利用することや、その地に生えている自然林地帯の自然林を公園の緑として利用することなどが行われていた（例えば、特許文献１参照。）。
【０００５】
【特許文献１】
特開２００２−２２０８３９
【０００６】
【発明が解決しようとする課題】
しかしながら、上記従来例においては、樹木を調達して植栽するためのコスト削減および景観には配慮されていたが、微気候が効果的に形成される植栽方法については配慮されていなかった。また、人間は他の生物と同様に気候風土に合致するよう長い時間をかけて進化してきたが、最近の住宅内のあまりにも変化のない均質な人工環境調整は生物学的には不健康であるという指摘もされている。
【０００７】
このような視点から、住宅の室内環境は空気調和など人工的な手法での環境調整を主体として考えるのではなく、その地域の気候風土の特性を活かした自然気候調節を主とし、それだけではカバーしきれない夏の暑さ、冬の寒さに対して人工的な手段で補う必要性がある。したがって、これからの造成地は資源エネルギーに依存しすぎることなく、樹木のもつ潜在的な微気候形成機能を活用した総合的な環境整備が必要である。
【０００８】
本発明は、造成地の微気候が効果的に向上し、快適で健康的な住宅地が形成されるとともに、資源エネルギーの削減を図ることができる造成地の樹木植栽方法を提供することにある。
【課題を解決するための手段】
【０００９】
微気候を有効利用した造成地の樹木植栽方法であって、造成地および造成地周辺の立地環境、風および熱環境による気候特性と、植栽環境を調査し、その調査結果と、造成地に対する樹木植栽計画に基づいて造成地の微気候の形成状態をシミュレーションし、そのシミュレーション結果を樹木植栽計画に反映させ、造成地に樹木を植栽する方法を採用した。
【００１０】
このような本発明によれば、造成地の微気候が効果的に向上し、快適で健康的な住宅地が形成されるとともに、資源エネルギーの削減を図ることができる。すなわち、造成地に樹木を植栽する上で、予め造成地および造成地周辺の立地環境および気候特性と、植栽環境を調査することで造成地の詳細な気候を把握することができる。そして、調査結果と樹木植栽計画に基づいて微気候の形成状態をシミュレーションし、樹木植栽計画に反映させ、造成地に樹木を植栽することで、効果的に微気候が形成された造成地とすることができる。
【００１１】
上記の樹木植栽方法を行うことにより、造成地に微気候を最大限に発揮させることが可能となり、造成地内を快適で健康的な生活環境とすることができる。また、樹木による自然エネルギーの利用が図られていることで、建物内の冷暖房等の使用を減らすことができ、資源エネルギーの大幅な削減を図ることができる。これにより、温暖化現象などの地球環境問題に配慮された、環境と共生可能な造成地とすることができる。
【００１２】
前記シミュレーションは、造成地に対する通風および防風効果と、気温および相対湿度による環境変化をシミュレーションすることが望ましい。このようにした場合、季節別の快適性を向上させることができる。すなわち、樹木を植栽する際、造成地に最適な風環境をシミュレーションすることで、夏季は造成地や建物内に通風効果を促し、冬季は防風効果を図ることができる。また、気温および相対湿度をシミュレーションすることで、より快適な生活環境を形成することができる。
【００１３】
前記造成地に樹木を植栽後、造成地の気象データを測定し、造成地の微気候形成状態の変化を測定し、その測定値を樹木植栽計画に反映させることが望ましい。このようにした場合、造成地に、より効果的な微気候を形成することができる。すなわち、樹木を植栽後、造成地に実質的な微気候の変化が形成されているか測定することで、現在の造成地の微気候形成状態を測り、その測定値からより効果的な微気候が形成されるように改善を行うことができる。
【００１４】
前記測定値に基づいて、造成地に植栽した樹木の配置場所、樹木の高さおよび樹種の変更を行うことが望ましい。このようにした場合、さらに効果的な微気候を形成することができる。すなわち、樹木植栽計画は造成地に理想的な生活環境が形成されるための計画であるが、実際に樹木を植栽した後に微気候が効果的に反映されない場合、樹木の配置場所、樹木の高さおよび樹種の変更を行うことで、造成地の微気候を最適なものとすることができる。これにより、快適で健康的な生活環境が形成される。
【００１５】
前記測定値を他の造成地の樹木植栽計画に反映させることが望ましい。このようにした場合、コスト削減を図ることが可能となる。すなわち、測定値をデータとして保存しておき、他の造成地を造成する際の参考または利用することで、樹木植栽計画を新たに行う作業を省くことができ、人件費等のコストを削減することができる。
【００１６】
【発明の実施の形態】
以下、本発明の実施の形態について、図面を参照して説明する。
図１は造成地の平面図であり、図２は造成地と新木場の位置関係を示す概略図および新木場アメダスデータを示す表である。
【００１７】
造成地１の樹木植栽方法として、まず、造成地１および造成地１周辺の立地環境、風および熱環境による気候特性と、植栽環境を調査し、その調査結果と、造成地１に対する樹木植栽計画に基づいて造成地１の微気候の形成状態をシミュレーションする。次に、そのシミュレーション結果を樹木植栽計画に反映させ、造成地１に樹木を植栽する。
【００１８】
上記、樹木植栽方法の実施形態として、千葉県浦安市を例に図１〜４に基づいて説明する。造成地１は関東地方の南東に位置する千葉県に、東京湾２を人工的に埋め立てて造成されたものであり、造成地１の南および東側が東京湾２に面している。造成地１内には複数の住宅１０からなる住宅地（図示しない）と、住宅１０を区画する道路２０が配置されている。また、周辺には、高層ビル３、小学校４および高層マンション５、公園（図示しない）等と、それらに隣接して複数の樹木が植栽されている。
【００１９】
この造成地１の環境を調査するために、造成地１から約８ｋｍ離れた東京都新木場のアメダスデータを参照する。図２（ａ）（ｂ）において、千葉県の気候区は太平洋沿岸型で、造成地１となる千葉県浦安市は海からの影響を大きく受け、冬は内陸部のような寒暖の差はなく、夏は都心部のようにヒートアイランド現象は発生しにくく、平均気温は都心部よりも１℃ほど低い。新木場アメダスデータによれば、風は５ｍ／ｓ以上吹く日が各月とも５日以上あり、冬の季節風の風向は北北西で、夏季日中は南東の風が多い。夏の海水温度は気温よりも低いため、海からの風は涼感が得られる。降水量は年間平均１３３４ｍｍで都心部より１００ｍｍ程度少ない。
【００２０】
造成地１周辺の風環境および植栽環境の特徴としては、４月から９月にかけては南よりの季節風（図１，４０）による影響が強い。その原因として、次の３つが考えられる。第１に南よりの風は東京湾２からの多量の塩分をふくんでいること。第２に南風は北風より最大風速が強く、月ごとの５ｍ／ｓ以上吹く日数も北風より多いこと。第３に単独植栽が多く被害を受けやすい（北風に対しては防風意識があることに対して）。
【００２１】
また、１０月から３月にかけては北よりの季節風（図１，５０）による影響が強い。風の通り道沿いに単独または列状に植栽された樹木に被害が見られ、郡植されているものには被害は少ない。最も多い被害状況としては葉の変色（緑から黄色）である。高層ビル３周辺の樹木には次のような被害が見られる。
【００２２】
壁面に沿って流れる風によるもの。葉の変色、部分的な枝枯れ、枝の偏り、幹の傾斜。ビル端部の吹き下ろしなどによるもの。また、低気圧、台風による風（図１，６０）により、倒木等の可能性が懸念される。したがって、造成地１においても樹木に対する海風の影響は明らかであることが分かるため、できるだけ海風の影響が小さくなるように対策を行うとともに、耐潮性樹種を選定し、植栽を行うことが必要である。
【００２３】
尚、造成地１は東京湾２の北端に位置し、周囲を中高層建築物で囲まれ、北東１５０ｍ先には東京湾２が開けている。気象データが設置されている新木場アメダスポイントとの立地条件の違いは、周辺建物（高層ビル３等）の有無である。造成地１の風環境を予測するためには、新木場アメダスデータを参考にしつつ、周辺ビルの影響を考慮する必要がある。
【００２４】
次に、上述した調査結果に基づいて、樹木植栽計画を立案する。造成地１での好ましい樹林構成は、潮風圧の強さに対応して、中低木を主とした前縁の樹林と、後方の林帯を形成する高木類を樹冠に持つ樹林とで構成する。中低木林帯の後方と高木林帯の前方とは切れ目なく連続し、耐潮風効果を高める。景観的には一体のものとなる。
【００２５】
林帯幅は、樹林が安定的に成立しうる最小幅を設定する。最小幅は、高木林帯に期待する高さを、当面の目標として高木類の植栽後約３０年を想定して高さ１０ｍに設定して算出する。高木林の最後方部に１０ｍの樹木を生育させようとすれば、樹林地の樹冠を形成する放物曲線の数値に当てはめると、その最小幅員は２５ｍとなる。これを自然の樹形の形態にならって中低木林をマント群落、高木林を主林帯と考えれば、前者は５ｍ、後者は２０ｍとなる。
【００２６】
また、樹種の選定は温度要因・潮風要因・土壌要因・生物要因の４項目から造成地１の環境に適する樹種を選定する。ここで温度要因とは、温暖帯に自然分布する樹種、温暖帯に導入されて健全に育成している樹種であり、潮風要因とは、海岸性の耐潮風性樹種であり、土壌要因とは、耐塩性樹種であり、生物要因とは、生長が旺盛で、かつ他の樹種を被圧する危険性の低い樹種、病中害によって致命的な被害を受ける危険性の低い樹種である。
【００２７】
次に、上述した調査結果と樹木植栽計画に基づいて、造成地１の微気候の形成状態をシミュレーションする。この実施形態におけるシミュレーションとは、数学的モデルをコンピューター上で扱う論理的シミュレーションであり、造成地１に対する通風および防風効果と、気温および相対湿度による環境変化を含めてシミュレーションすることである。
【００２８】
ここで、コンピューターとは主要構成要素であるコンピューター本体と、キーボード、マウスおよびディスプレイ等のマン−マシンインターフェイス装置群とを備えたもので、コンピューター本体には記憶装置であるハードディスク装置と、各種の処理を行う演算装置であるＣＰＵとを含んで構成されたものである。
【００２９】
上記、ハードディスク装置には、所定の地域の地形に関する地形データが蓄積された地理情報、所定の地域の気象に関するデータが蓄積された気象情報、造成地となる地区に建築される建物に関する建物データが蓄積された建物情報、その地区に植えられる樹木に関するデータが蓄積された樹木情報、その地区の道路や宅地の配置についての計画に関するデータが蓄積される地区計画情報、および、その地区の道路や住宅の配置についての概略計画に関するデータが蓄積される概略計画情報が設けられている。
【００３０】
具体的なシミュレーションとして、造成地１に関する各種データ（地理情報、気象情報、建物情報、樹木情報、地区計画情報、概略計画情報）を使用する。そして、造成地１の地理情報から地形モデルを仮想設定し、建物情報、樹木情報および地区計画情報等に蓄積されたデータを利用して、仮想設定された三次元地形モデルに建物（高層ビル３等）や道路２０等を仮想設定する。これにより。造成地１の三次元モデルを生成することができる。そして、生成した造成地１の三次元モデルに、その気象状態を模擬した気象モデルを生成する。この気象モデルを利用することで、造成地１における微気候の検討を具体的に行うことができる。そして、上記、シミュレーション結果に基づいて、造成地１に樹木の植栽を行う。
【００３１】
ここで、造成地１の計画が完全に完了する前に、換言すれば、造成地１の概略計画がある程度完了した状態で、その概略計画における気象状態を模擬したモデルを、生成されたモデルから、温度、湿度および風配等の気象状態についての不具合が生じている否か検討し、検討した結果から、概略計画を修正し、修正した概略計画における気象状態を模擬したモデルを再度生成することができる。
【００３２】
したがって、上述のようなモデルの生成および計画の修正を何度か繰り返すことにより、シミュレーション結果を樹木植栽計画に反映させることでき、微気候について、十分配慮された造成地１を計画することができる。さらに、事前にシミュレーションを行うことで、実際に樹木を植栽する前に微気候の効果を計ることができるため、人件費などの大幅なコスト削減効果も期待できる。また、樹木による自然エネルギーの利用が図られていることで、建物内の冷暖房等の使用を減らすことができ、資源エネルギーの大幅な削減を図ることができる。これにより、温暖化現象などの地球環境問題に配慮された、環境と共生可能な造成地とすることができる。
【００３３】
図３および図４に樹木の植栽方法の具体例を示す。図３は、造成地１の拡大平面図であり、図４は住宅１０の植栽配置図（ａ）と、その樹木リスト（ｂ）である。造成地１内に区画された複数の道路２０および住宅１０周辺に、樹木３０が複数植栽されている。樹木３０は、上記、樹木植栽計画に基づいて植栽されたものであり、風の通り道となる道路２０沿いに植栽されているため、乱流が発生し、風速を減少させることができる。また、図示しないが、造成地１周辺にも、樹木植栽計画に基づいて樹木が植栽されており、図１に示す夏の風４０、冬の季節風５０、低気圧・台風の風６０にそれぞれ対応可能に植栽されている。したがって、造成地１内の風環境を良好とすることができ、快適な生活環境が形成される。
【００３４】
住宅１０周辺の植栽環境は、図４（ａ）に示すように、住宅１０の東・南・西側に落葉広葉樹Ａを植栽し、北側には常緑樹Ｃを植栽する。また、東から南側にかけて常緑樹の生垣Ｃを配置し、南側の地面を地盤面緑化Ｄする。住宅１０の壁面は、落葉樹により壁面緑化Ｆ・ＨおよびパーゴラＢを配置する。さらに、屋根または屋上にも屋根（屋上）緑化Ｊ・Ｋを行う。尚、樹種については、図４（ｂ）の樹種リストから選択して植栽を行う。
【００３５】
また、樹木を植栽後、造成地１の気象データを測定し、造成地１の微気候形成状態の変化を測定し、その測定値を樹木植栽計画に反映させる。これにより、造成地１に、より効果的な微気候を形成することができる。すなわち、樹木を植栽後、造成地１に実質的な微気候の変化が形成されているか測定することで、現在の造成地１の微気候形成状態を測り、その測定値からより効果的な微気候が形成されるように改善を行うことができる。
【００３６】
さらに、上記、微気候の測定値に基づいて、造成地１に植栽した樹木の配置場所、樹木の高さおよび樹種の変更を行う。これにより、さらに効果的な微気候を形成することができる。すなわち、樹木植栽計画は造成地１に理想的な生活環境が形成されるためのものであるが、実際に樹木を植栽した後に微気候が効果的に反映されない恐れもある。その場合、樹木の配置場所、樹木の高さおよび樹種の変更を行うことで、造成地１の微気候を最適なものとすることができ、快適で健康的な生活環境が形成される。尚、樹木の配置場所、樹木の高さおよび樹種の変更は、上述したシミュレーションにより行うことが望ましく、コスト削減にも効果的な方法である。
【００３７】
また、上記、微気候の測定値を他の造成地の樹木植栽計画に反映させることもできる。これにより、コスト削減を図ることが可能となる。すなわち、上述したシミュレーションでは、各種データ（地理情報、気象情報、建物情報、樹木情報、地区計画情報、概略計画情報）を様々な気候、地域で利用することが可能である。したがって、微気候の測定値をデータとして保存しておき、他の造成地を造成する際に利用することも当然可能であり、樹木植栽計画を新たに行う作業を省くことができ、人件費等のコストを削減することができる。
【００３８】
【発明の効果】
以上のように、本発明によれば、造成地の微気候が効果的に向上し、快適で健康的な住宅地が形成されるとともに、資源エネルギーの削減を図ることができる。また、樹木による自然エネルギーの利用が図られていることで、建物内の冷暖房等の使用を減らすことができ、資源エネルギーの大幅な削減を図ることができる。これにより、温暖化現象などの地球環境問題に配慮された、環境と共生可能な造成地とすることができる。
【図面の簡単な説明】
【図１】本発明の実施形態に係る造成地１を示す平面図である。
【図２】本発明の実施の形態に係る造成地１と新木場の位置関係を示す概略図（ａ），新木場アメダスデータを示す表（ｂ）である。
【図３】本発明の実施の形態に係る造成地１の拡大平面図である。
【図４】本発明の実施の形態に係る住宅１０の植栽配置図（ａ），樹木リストを示す表（ｂ）である。
【符号の説明】
１  造成地
２  東京湾
３  高層ビル
４  小学校
５  高層マンション
１０  住宅
２０  道路
３０  樹木
４０  夏の風
５０  冬の季節風
６０  低気圧・台風の風
Ａ  落葉広葉樹
Ｂ  パーゴラ
Ｃ  常緑樹（生垣）
Ｄ  地盤面緑化
Ｆ，Ｈ  壁面緑化
Ｊ，Ｋ  屋根（屋上）緑化
【図１】
2005002627.tif 000003
【図２】
2005002627.tif 000004
【図３】
2005002627.tif 000005
【図４】
2005002627.tif 000006